(57)【要約】      （修正有） 【課題】極めて簡単な構造で、携帯に便利であり、しかも安全・確実に簡単な操作で使用可能な携帯用尿器を提供する。【解決手段】袋状体の開口部に排尿用筒状体の一方の端部が挿入されて取付けられ、且つ該取付け部が弾性バンドで固定されたものを携帯用尿器として使用する。【選択図】図１
0003113562.tif 000002
【実用新案登録請求の範囲】
【請求項１】
袋状体の開口部に排尿用筒状体の一方の端部が挿入されて取付けられ、且つ該取付け部が弾性バンドで固定された携帯用尿器
【請求項２】
上記筒状体が円乃至楕円形筒状体であり、その両端円周部にツバ状突起が形成されている請求項１に記載の尿器
【請求項３】
排尿用筒状体の排尿口側が湾曲されたものである請求項１又は２に記載の尿器
【請求項４】
上記ツバ突起部に蓋を施した請求項１〜３のいずれかに記載の尿器
【考案の詳細な説明】
【技術分野】
【０００１】
本考案は携帯用尿器に関し、更に詳しくは使用者が便所により排出出来ない様な状態、たとえば自由に歩行し難い身体障害者等や自動車内等で排尿しようとする場合等に於いて、排尿が可能な携帯用尿器に関する。
【背景技術】
【０００２】
このような携帯用尿器として従来各種のものが数多く知られており、このなかで袋状体を使用した尿器がいくつか知られている。たとえば開口部を有する樹脂製袋状体の開口部にチャックを設け、一方袋状体の内部に吸水性ポリマーを封入したものが市販されている。しかしこの市販品では開口部を開いたときの状態が一定せず、極めて排尿し難く、特に女性の場合は大きな難点となっている。
【０００３】
またその他、袋状体を用いた尿器はたとえば実開昭５９−０８６２００、実開昭５９−１０８６１７、実開昭５９−１７１５９６等に開示されているが、いずれも一長一短を有し、使用し易いものではなかった。
【考案の開示】
【考案が解決しようとする課題】
【０００４】
本考案が解決しようとする課題は、極めて簡単な構造で、携帯に便利であり、しかも安全・確実に簡単な操作で、たとえば自動車内部やベット等でも使用出来、特に女性にとっても簡単に確実に使用可能な携帯用尿器を開発することである。
【課題を解決するための手段】
【０００５】
上記課題を解決する手段は袋状体の開口部（４）に排尿用筒状体（１）の一方の端部（２）が挿入されて取付けられ、且つ該取付け部が弾性バンド（５）で固定された携帯用尿器を使用することによって解決される。即ち図１及び図５に於いて筒状体（１）の一端（２）を袋状体（３）の開口部（４）で被覆し、この上から弾性体代表的にはゴムバンド（５）で取付け固定することにより解決される。
【０００６】
そして排尿に際しては、排尿用筒状体の排尿口（６）に身体の局所を接し、排尿し、排尿終了後は弾性体代表的にはゴムバンド（５）を除去して、袋状体（３）を分離し、尿を廃棄する。
【０００７】
本考案に於いて使用する排尿用筒状体（１）は、筒状の形状をしているものであれば広く使用され、特に円又は楕円形のものが好ましい。筒状体（１）の長さは通常３００〜１６００ｍｍ程度好ましくは４００〜１５００ｍｍ程度である。特に使用者が身体障害者の如くベッドやいす上で排尿する場合には、１００ｍｍ以上の長いものが好ましい。
【０００８】
この筒状体（１）の材質は原則として排尿が出来る材質（尿により大きく変質しないもの）のものであれば良く、好ましい例としては各種金属、合成樹脂、ゴム等が挙げられ、更に具体的には鉄又はその合金、ステンレス、エフレックス、塩化ビニールパイプ、ゴム等を例示出来、最も簡単なものとしてゴムホースを例示出来る。
【０００９】
この筒状体（１）には、その排尿口（６）の周囲にツバ状突起（７）を設けることが好ましい。このツバ状突起（７）を用いて排尿口（６）にフタ（図示せず）を確実に施し易くなる。また筒状体（１）の他の一端（２）にも同様にツバ状突起（８）を設けることが好ましい。
【００１０】
袋状体としては、合成樹脂製、ゴム製、紙製等の袋状のものが使用され、その大きさは（ふくらませたとき）通常長径１５００〜４０００ｍｍ、好ましくは１５００〜２５００ｍｍ、短径１５００〜２５００ｍｍ程度、好ましくは１５００〜２０００ｍｍ程度である。開口部（４）の直径は約３００〜５００ｍｍ程度である。
【００１１】
この袋状体（３）は使用時にふくらむもの（使用前は平板状のものでも良い）が最も好ましく、代表的にはビニール袋、ゴム袋、紙袋等を例示出来、使用時にふくらませて筒状体（１）に装着して使用する。
【００１２】
本考案に使用する弾性バンド（５）代表的にはゴムバンドは所謂、市販されている各種のゴムバンドが広く使用され、好ましくは平型ゴムバンドを例示出来る。この平型ゴムバンドの代表的な形状やサイズはたとえば１０ｍｍ〜１５０ｍｍの様な形状で、１０ｍｍ程度のサイズのものである。その他場合によってはゴム輪を使用しても良い。尚両者（筒状体と袋状体）を取付けることが出来るものたとえば弾性を有するヒモや織物等をゴムバンドに代えて使用または併用することも出来る。
【００１３】
本考案の尿器に於いて、女性が使用する際には、ツバ状突起（７）は、男性用に比し図２に示す如く若干大きく設けることが好ましく、これにより女性の排尿がよりスムーズに行うことが出来る。この際の（女性用の場合の）ツバ状突起（７）のツバの大きさは、通常のものに比し１．２〜２．５倍（直径方向）好ましくは１．５〜２．０倍程度が好ましい。
【００１４】
本考案の尿器を使用するに際しては筒状体（１）の一端（２）を袋状体（３）の開口部（４）に挿入し、この上からゴムバンド（５）を用いてしっかりと固定する。この際ゴムバンド（５）は、一本でも良いが、好ましくは２〜３本以上使用する。次いで排尿口（６）に身体（局所）をあてがって、排尿する。
【００１５】
本考案に於いては筒状体（１）の排尿口（６）に蓋（図示せず）を施すことも出来る。これにより排尿後、しばらく放置する場合等に極めて便利である。
【考案の効果】
【００１６】
本考案によると極めて簡単な構造の尿器でもって、極めて単純な操作で排尿が出来、しかも携帯に極めて便利であり、適宜な場所たとえば自動車内やベット上でも排尿が容易且つ確実に出来るものである。
【考案を実施するための最良の形態】
【００１７】
以下に実施例を示して本考案を説明する。
【実施例１】
【００１８】
図１に示す如く長さ７００ｍｍ、直径４６ｍｍ、肉厚１ｍｍのステンレス製円筒状体（１）の両端に、ツバ状突起（７）及び（８）を設けた。このツバの直径はいずれも約４７ｍｍであった。
【００１９】
この筒状体（１）をビニール袋（３）（ふくらませた時の直径約２００ｍｍ、開口部４６ｍｍ）の開口部（４）に一部挿入し、平型ゴムバンド（５）（大きさ１０ｍｍのもの）を２本を用いて固定した。
【００２０】
これを用いて排尿口（６）に身体の局部をあてがい排尿した。その後蓋（図示せず）をツバ状突起（８）を用いてかぶせ、尿を放棄できる所までそのまま保持し、後放棄した。
【実施例２】
【００２１】
上記図１で示した実施例１のもののツバ状突起部（８）を図２に示す大きなもの（ツバの直径が約４８ｍｍ）に代え、且つビニール袋をゴム袋に代え、その他は実施例１と同様に処理して特に女性に好適な尿器を製作した。
【実施例３】
【００２２】
図１に示す実施例１の尿器の排尿口側を約６０°の角度に図３に示すようにワン曲させ、且つ筒状体（１）として合成樹脂製（塩化ビニール製）のものに代え、その他は実施例１と同様に処理して尿器を製作した。
【実施例４】
【００２３】
図２に示す上記実施例２に示す尿器に於いて、その排尿口側を約７０°の角度にワン曲させ、且つ袋状体として紙袋を用いた他は、実施例２と同様に処理して図４に示す尿器を製作した。
【図面の簡単な説明】
【００２４】
【図１】図１は本考案の尿器の一例の概略説明図である。
【図２】図２は本考案の尿器の他の例の概略説明図である。
【図３】図３は本考案の尿器の他の例の概略説明図である。
【図４】図４は本考案の尿器の他の例の概略説明図である。
【図５】図５は図１の縦断面図である。
【符号の説明】
【００２５】
１・・・排尿用筒状体
２・・・上記筒状体の一端
３・・・袋状体
４・・・袋状体の開口部
５・・・ゴムバンド
６・・・排尿用筒状体の排尿口
７・・・ツバ状突起
８・・・ツバ状突起
【図１】
0003113562.tif 000003
【図２】
0003113562.tif 000004
【図３】
0003113562.tif 000005
【図４】
0003113562.tif 000006
【図５】
0003113562.tif 000007